(57)【特許請求の範囲】
【請求項１】
ラックを監視して該ラックに搭載される監視対象装置に変更があったか否かの判定を行う判定部と、
前記判定部により変更があったとの判定が行われた場合に、前記監視対象装置が正常であるときの光表示部の画像である基準画像に基づいて該監視対象装置を監視する光表示部監視装置に前記基準画像の変更を指示する指示部と
を有することを特徴とするラック監視装置。
【請求項２】
前記判定部は、前記監視対象装置を識別する装置識別子、並びに、該監視対象装置を搭載するラックを識別するラック識別子及びラック内の位置を示す位置情報に基づいて前記判定を行うことを特徴とする請求項１に記載のラック監視装置。
【請求項３】
前記判定部は、前記監視対象装置の電源部と電源ケーブルコネクタの間に取り付けられたセンサー付きアダプタが取得した前記装置識別子、前記ラック識別子及び前記位置情報に基づいて前記判定を行うことを特徴とする請求項２に記載のラック監視装置。
【請求項４】
前記判定部は、前記監視対象装置に貼り付けられたタグから前記装置識別子を読み取るとともに前記ラックに貼り付けられたタグから前記ラック識別子及び前記位置情報を読み取った前記センサー付きアダプタから送信された前記装置識別子及び前記位置情報に基づいて前記判定を行うことを特徴とする請求項３に記載のラック監視装置。
【請求項５】
前記判定部は、ラックから取り外された監視対象装置がラックの同じ場所に戻されたか否かを判定し、同じ場所に戻されたと判定した場合には、前記変更がなかったとの判定を行うことを特徴とする請求項１〜４のいずれか１つに記載のラック監視装置。
【請求項６】
ラックに搭載される監視対象装置と、
前記監視対象装置が正常であるときの光表示部の画像である基準画像に基づいて該監視対象装置を監視する光表示部監視装置と、
前記ラックを監視するラック監視装置を有し、
前記ラック監視装置は、
前記ラックに搭載される監視対象装置に変更があったか否かの判定を行う判定部と、
前記判定部により変更があったとの判定が行われた場合に、前記基準画像の変更を指示する指示部と
を有することを特徴とする光表示部監視システム。
【請求項７】
コンピュータに、
ラックを監視して該ラックに搭載される監視対象装置に変更があったか否かの判定を行い、
変更があったとの判定を行った場合に、前記監視対象装置が正常であるときの光表示部の画像である基準画像に基づいて該監視対象装置を監視する光表示部監視装置に前記基準画像の変更を指示する
処理を実行させることを特徴とするラック監視プログラム。
【発明の詳細な説明】
【技術分野】
【０００１】
本発明は、ラック監視装置、光表示部監視システム及びラック監視プログラムに関する。
【背景技術】
【０００２】
ラックに搭載されたサーバ、ストレージ等の装置のＬＥＤの光を、光ファイバーを用いてラックの別の場所に集め、集めたＬＥＤの光の表示をカメラで撮影し、撮影した画像をパソコン上に表示することで装置を監視する監視技術がある。また、装置が正常に動作している場合のＬＥＤ表示の画像を正常時画像として記憶し、正常時画像と異なる画像が観測された場合に装置に異常が発生したと判定して管理者に通知する技術がある。
【０００３】
なお、物品を収納する棚を持ったストッカに、収納物を出入れするに当って、この棚ならびに収納物に形成する記号を同時に判別する機構を設けて在庫管理と入出庫管理を行うストッカコントロールシステムがある。
【０００４】
また、ラック筐体の各棚のリーダ装置が棚に搭載されているラックマウント型機器の非接触型ＩＣタグを読み取り、当該ラック筐体に搭載されているラックマウント型機器の情報及び搭載位置を取得することで、ラック筐体の正確な構成管理を実現する技術がある。
【先行技術文献】
【特許文献】
【０００５】
【特許文献１】特開昭６２−２３５１０１号公報
【特許文献２】特開２００７−２２６５８２号公報
【発明の概要】
【発明が解決しようとする課題】
【０００６】
正常時画像と異なる画像が観測された場合に装置に異常が発生したと判定する技術では、ラック内の装置の入替や追加が行われた場合に、正常時画像を更新する必要がある。その理由は、装置の入替や追加が行われると、ＬＥＤの表示状態が変わり、正常時画像が変更になるためである。
【０００７】
本発明は、１つの側面では、正常時画像を自動的に更新することを目的とする。
【課題を解決するための手段】
【０００８】
１つの態様では、ラック監視装置は、判定部と指示部とを有する。判定部は、ラックを監視して該ラックに搭載される監視対象装置に変更があったか否かの判定を行う。指示部は、判定部により変更があったとの判定が行われた場合に、監視対象装置が正常であるときの光表示部の画像である基準画像に基づいて該監視対象装置を監視する光表示部監視装置に基準画像の変更を指示する。
【発明の効果】
【０００９】
１つの側面では、正常時画像を自動的に更新することができる。
【図面の簡単な説明】
【００１０】
【図１】図１は、ＬＥＤ監視システムの構成を示す図である。
【図２】図２は、出力端設置板における光ファイバーの出力端の配置及び撮像画像の例を示す図である。
【図３】図３は、正常時画像を自動更新するＬＥＤ監視システムの構成を示す図である。
【図４】図４は、ラックに貼り付けられたバーコードを示す図である。
【図５】図５は、バーコードに記録された情報の一例を示す図である。
【図６】図６は、監視対象装置に貼り付けられたバーコードを示す図である。
【図７】図７は、バーコードに記録された情報の一例を示す図である。
【図８】図８は、センサー付きアダプタの機能構成を示す図である。
【図９】図９は、管理情報記憶部の一例を示す図である。
【図１０】図１０は、ラック監視装置の機能構成を示す図である。
【図１１】図１１は、ラック情報記憶部の一例を示す図である。
【図１２Ａ】図１２Ａは、監視対象装置が取り付けられた場合の処理のフローを示す第１のフローチャートである。
【図１２Ｂ】図１２Ｂは、監視対象装置が取り付けられた場合の処理のフローを示す第２のフローチャートである。
【図１３】図１３は、監視対象装置が取り外された場合の処理のフローを示すフローチャートである。
【図１４】図１４は、実施例に係るラック監視プログラムを実行するコンピュータのハードウェア構成を示す図である。
【発明を実施するための形態】
【００１１】
以下に、本願の開示するラック監視装置、光表示部監視システム及びラック監視プログラムの実施例を図面に基づいて詳細に説明する。なお、この実施例は開示の技術を限定するものではない。
【実施例】
【００１２】
まず、ＬＥＤ監視システムについて説明する。なお、本実施例では、ＬＥＤを使用して説明するが、有機ＥＬランプや光るディスプレイなどの光表示部を使用してもよい。図１は、ＬＥＤ監視システムの構成を示す図である。図１に示すように、ＬＥＤ監視システム１は、ＬＥＤ監視装置２と、複数のラック３に搭載された複数の監視対象装置３１と、ラック３と同数のカメラユニット３４と、スイッチングハブ３７とを有する。
【００１３】
なお、図１では、１台のラック３に５台の監視対象装置３１が搭載されているが、１台のラック３には、より多いあるいはより少ない台数の監視対象装置３１が搭載されてもよい。また、スイッチングハブ３７は、リピーターハブ等その他のネットワークを中継する機器でもよい。
【００１４】
ＬＥＤ監視装置２は、監視対象装置３１に対応付けられたＬＥＤの点灯状態を監視することによって監視対象装置３１を監視する。監視対象装置３１は、ＬＥＤ監視装置２により監視される装置であり、例えば、データセンタ内のサーバ、ストレージ等である。
【００１５】
カメラユニット３４は、ＬＥＤなどの光表示部の発光状態を示す画像を撮像し、撮像した動画像をスイッチングハブ３７を介してＬＥＤ監視装置２に送信する。カメラユニット３４は、出力端設置板３２とカメラ３３とを有する。出力端設置板３２は、監視対象装置３１のＬＥＤから採光された光を集約するための光ファイバー３６の採光端とは反対の出力端がマトリクス状に配置される板である。
【００１６】
カメラ３３は、出力端設置板３２に集約された出力端の画像を撮像し、撮像画像をＬＡＮ（Local  Area  Network）ケーブル３５及びスイッチングハブ３７を介してＬＥＤ監視装置２に送信する。出力端設置板３２に集約された出力端の画像は、ＬＥＤなどの光表示部の発光状態を示す画像である。ここで、発光状態とは、ＬＥＤが出力する光の輝度、色相などを含む状態である。なお、ＬＡＮケーブル３５を使った有線回線ではなく、無線回線でもよい。
【００１７】
図２は、出力端設置板３２における光ファイバー３６の出力端の配置及び撮像画像の例を示す図である。図２（ａ）は、光ファイバー３６の出力端の配置を示し、図２（ｂ）は、撮像画像の例を示す。図２（ａ）に示すように、縦５個毎に１つの監視対象装置３１のＬＥＤの光を出力する光ファイバー３６の出力端が並ぶ。
【００１８】
また、横１列には、同機能を示すＬＥＤの光を出力する光ファイバー３６の出力端が並ぶ。ＬＥＤの示す機能には、「電源」、「ネットワークＬｉｎｋ」、「ネットワークＡｃｔ」、「ＨＤＤ（Hard  Disk  Drive）アクセス」、「ＨＤＤＦａｕｌｔ」、「部品Ｆａｕｌｔ」、「保守」、「ＣＳＳ（Customer  Self  Service）」、「電源ユニット」、「ＩＤ」等がある。なお、撮像画像の縦横の配列は実施例に限定されず自由に定義可能である。
【００１９】
図２（ｂ）に示すように、撮像画像３８は、各ＬＥＤの点灯状態を示す。なお、図２（ｂ）は白黒画像で示しているが、実際の画像はカラー画像である。図２（ｂ）において模様の違いは色の違いを示す。また、実際の画像では、輝度の違いも表される。なお、図２（ｂ）はカラー画像の例を説明するが、色変化判定が不要であれば白黒画像でもよい。
【００２０】
ＬＥＤ監視装置２は、監視対象装置３１が正常である時の撮像画像３８である正常時画像（比較用の基準画像）を記憶する。そして、ＬＥＤ監視装置２は、現時点の撮像画像３８を正常時画像と比較することによって、監視対象装置３１に異常があるか否かを判定し、判定結果を表示装置に表示する。
【００２１】
次に、正常時画像を自動更新するＬＥＤ監視システムの構成について説明する。図３は、正常時画像を自動更新するＬＥＤ監視システムの構成を示す図である。図３に示すように、正常時画像を自動更新するＬＥＤ監視システム１０は、ＬＥＤ監視装置２と、ラック３と、ラック監視装置５と、監視対象装置３１と、スイッチングハブ３９と、センサー付きアダプタ４０とを有する。ＬＥＤ監視装置２、ラック監視装置５、スイッチングハブ３９及びセンサー付きアダプタ４０は、ＬＡＮケーブル３５で接続される。なお、図３には示されていないが、ＬＥＤ監視システム１０には、カメラユニット３４、スイッチングハブ３７など、図１に示したＬＥＤ監視システム１の構成が含まれる。
【００２２】
ラック監視装置５は、ラック３内の監視対象装置３１の増減を監視し、正常時画像の更新が必要か否かを判定する。そして、ラック監視装置５は、正常時画像の更新が必要であると判定すると、ＬＥＤ監視装置２に正常時画像の更新を指示する。ＬＥＤ監視装置２は、ラック監視装置５の指示に基づいて正常時画像を撮影して記憶する。なお、ラック監視装置５の詳細については後述する。
【００２３】
スイッチングハブ３９は、センサー付きアダプタ４０とラック監視装置５との間の通信を中継する。なお、スイッチングハブ３９は、図１に示したスイッチングハウ３７と同一でもよい。
【００２４】
センサー付きアダプタ４０は、バーコードを読み取るセンサを２つ有するアダプタであり、図４に示すように、監視対象装置３１と電源ケーブル４１の間で固定される。センサー付きアダプタ４０は、ラック３に貼り付けられたバーコードと、監視対象装置３１に貼り付けられたバーコードを読み取る。
【００２５】
図４は、ラック３に貼り付けられたバーコード４２ａを示す図である。図４に示すように、ラック３の後方側の側面にラック３の１ユニットの高さ毎にバーコード４２ａが貼り付けられる。バーコード４２ａには、ラック３を識別するためのラックＩＤとラック３の高さ情報を示す位置情報が記録される。
【００２６】
図５は、バーコード４２ａに記録された情報の一例を示す図である。図５に示すように、ラックＩＤとして「Ａ」が記録され、位置情報として「５Ｕ」が記録される。「５Ｕ」は、下から５番目のユニットであることを示す。センサー付きアダプタ４０は、バーコード４２ａからラックＩＤと位置情報を読み出して記憶する。
【００２７】
図６は、監視対象装置３１に貼り付けられたバーコード４３ａを示す図である。図６に示すように、電源ケーブル挿入口３１ａの付近にバーコード４３ａが貼り付けられる。バーコード４３ａには、監視対象装置３１を識別するための装置特定ＩＤが記録される。
【００２８】
図７は、バーコード４３ａに記録された情報の一例を示す図である。図７に示すように、装置特定ＩＤとして「００」が記録される。センサー付きアダプタ４０は、バーコード４３ａから装置特定ＩＤを読み出して記憶する。なお、ここでは、バーコードを用いる場合について説明したが、バーコードの代わりにＱＲコード（登録商標）等の他のコードを用いてもよい。
【００２９】
図８は、センサー付きアダプタ４０の機能構成を示す図である。図８に示すように、センサー付きアダプタ４０は、センサー部４２及び４３と、管理情報記憶部４４と、制御部４５とを有する。また、センサー付きアダプタ４０は、固有のアダプタＩＤを有する。また、センサー付きアダプタ４０は、ＬＡＮケーブル３５によりスイッチングハブ３９を介してラック監視装置５に接続される。また、センサー付きアダプタ４０は、ＰＳＵ（Power  Supply  Unit：電源供給部）３１ｂと電源ケーブルコネクタ４６の間に取り付けられ固定される。
【００３０】
センサー部４２は、ラック３に貼り付けられたバーコード４２ａからラックＩＤと位置情報を読み出す。センサー部４３は、監視対象装置３１に貼り付けられたバーコード４３ａから装置特定ＩＤを読み出す。
【００３１】
管理情報記憶部４４は、ラックＩＤ、位置情報、装置特定ＩＤ、アダプタＩＤを対応付けてラック情報として記憶する。図９は、管理情報記憶部４４の一例を示す図である。図９に示すように、管理情報記憶部４４は、ラックＩＤとして「Ａ」を記憶し、位置情報として「５Ｕ」を記憶し、装置特定ＩＤとして「００」を記憶し、アダプタＩＤとして「ａ」を記憶する。
【００３２】
ラックＩＤ及び位置情報は、センサー部４２によりバーコード４２ａから読み出され、制御部４５により管理情報記憶部４４に書き込まれる。装置特定ＩＤは、センサー部４３によりバーコード４３ａから読み出され、制御部４５により管理情報記憶部４４に書き込まれる。
【００３３】
制御部４５は、センサー部４２によりバーコード４２ａから読み出されたラックＩＤと位置情報、及び、センサー部４３によりバーコード４３ａから読み出された装置特定ＩＤを管理情報記憶部４４に書き込む。また、制御部４５は、管理情報記憶部４４に書き込んだラックＩＤ、位置情報及び装置特定ＩＤをアダプタＩＤとともにラック監視装置５にラック情報として送信する。
【００３４】
次に、ラック監視装置５の機能構成について説明する。図１０は、ラック監視装置５の機能構成を示す図である。図１０に示すように、ラック監視装置５は、ラック情報記憶部５１と、比較判定部５２と、通知部５３とを有する。
【００３５】
ラック情報記憶部５１は、ラック３に搭載されている装置に関連する情報を記憶する。図１１は、ラック情報記憶部５１の一例を示す図である。図１１に示すように、ラック情報記憶部５１は、ＮＯと、ラックＩＤと、位置情報と、装置特定ＩＤと、アダプタＩＤとを対応付けて記憶する。すなわち、ラック情報記憶部５１は、センサー付きアダプタ４０が送信されたラック情報にＮＯが付加された情報を記憶する。
【００３６】
ＮＯは、各エントリに付加される一連番号である。例えば、一連番号が「１」であるエントリでは、ラックＩＤが「Ａ」であり、位置情報が「５Ｕ」であり、装置特定ＩＤが「００」であり、アダプタＩＤが「ａ」である。
【００３７】
比較判定部５２は、センサー付きアダプタ４０からラック情報を受信すると、監視の停止をＬＥＤ監視装置２に指示するように通知部５３に指示する。そして、比較判定部５２は、受信したラック情報をラック情報記憶部５１の各エントリのラック情報と比較し、受信したラック情報がラック情報記憶部５１に記憶されているか否かを判定する。
【００３８】
そして、比較判定部５２は、受信したラック情報がラック情報記憶部５１に記憶されている場合には、新たな監視対象装置３１がラック３に取り付けられたわけではないので、監視の再開をＬＥＤ監視装置２に指示するように通知部５３に指示する。
【００３９】
一方、受信したラック情報がラック情報記憶部５１に記憶されていない場合には、比較判定部５２は、受信したラック情報を新たなエントリとしてラック情報記憶部５１に書き込み、正常時画像の更新をＬＥＤ監視装置２に指示するように通知部５３に指示する。そして、比較判定部５２は、正常時画像の更新完了の通知をＬＥＤ監視装置２から通知部５３を介して受け取ると、監視の再開をＬＥＤ監視装置２に指示するように通知部５３に指示する。
【００４０】
また、比較判定部５２は、センサー付きアダプタ４０の電源ＯＦＦを感知し、監視の停止をＬＥＤ監視装置２に指示するように通知部５３に指示する。そして、比較判定部５２は、一定時間が経過してもラック情報を受信しない場合には、監視対象装置３１がラック３から取り除かれたと判定し、取り除かれた監視対象装置３１の情報をラック情報記憶部５１から削除する。そして、比較判定部５２は、正常時画像の更新をＬＥＤ監視装置２に指示するように通知部５３に指示する。そして、比較判定部５２は、正常時画像の更新完了の通知をＬＥＤ監視装置２から通知部５３を介して受け取ると、監視の再開をＬＥＤ監視装置２に指示するように通知部５３に指示する。
【００４１】
一方、一定時間内にラック情報を受信した場合には、比較判定部５２は、取り外された監視対象装置３１がラック３に戻されたか否かを判定し、戻されたと判定した場合には、監視の再開をＬＥＤ監視装置２に指示するように通知部５３に指示する。一方、戻されたのではなく他の監視対象装置３１がラック３に追加された場合には、比較判定部５２は、取り除かれた監視対象装置３１の情報をラック情報記憶部５１から削除し、正常時画像の更新をＬＥＤ監視装置２に指示するように通知部５３に指示する。そして、比較判定部５２は、正常時画像の更新完了に通知をＬＥＤ監視装置２から通知部５３を介して受け取ると、監視の再開をＬＥＤ監視装置２に指示するように通知部５３に指示する。
【００４２】
通知部５３は、比較判定部５２からの指示に基づいて、ＬＥＤ監視装置２に監視の停止及び再開、正常時画像の更新等を指示する。また、通知部５３は、ＬＥＤ監視装置２から正常時画像の更新完了を通知されると、比較判定部５２に正常時画像の更新完了を通知する。
【００４３】
次に、監視対象装置３１が取り付けられた場合の処理のフローについて説明する。図１２Ａ及び図１２Ｂは、監視対象装置３１が取り付けられた場合の処理のフローを示すフローチャートである。図１２Ａに示すように、取り付けられた監視対象装置３１に固定されたセンサー付きアダプタ４０は、監視対象装置３１の電源が投入されて電源がＯＮになると、バーコード４３ａを読むことにより装置特定ＩＤを取得する（ステップＳ１）。
【００４４】
そして、センサー付きアダプタ４０は、バーコード４２ａを読むことによりラックＩＤ及び位置情報を取得する（ステップＳ２）。そして、センサー付きアダプタ４０は、装置特定ＩＤ、ラックＩＤ及び位置情報をアダプタＩＤに対応付けて管理情報記憶部４４に書き込む（ステップＳ３）。そして、センサー付きアダプタ４０は、ラック情報をラック監視装置５に通知する（ステップＳ４）。
【００４５】
ラック監視装置５は、ラック情報を受信したか否かを判定し（ステップＳ５）、ラック情報を受信すると、ＬＥＤ監視装置２に、ＬＥＤ画像による異常判別の停止を指示する（ステップＳ６）。すると、ＬＥＤ監視装置２は、撮影したＬＥＤ画像を正常時画像と比較して異常を判定する比較判定処理を停止する（ステップＳ７）。
【００４６】
そして、ラック監視装置５は、受信したラック情報をラック情報記憶部５１と比較する処理を行う（ステップＳ８）。すなわち、ラック監視装置５は、図１２Ｂに示すように、ラックＩＤ、アダプタＩＤ、位置情報及び装置特定ＩＤが全て等しいエントリがラック情報記憶部５１にあるか否かを判定する（ステップＳ９）。
【００４７】
その結果、ラック情報記憶部５１にある場合には、ラック監視装置５は、ラック情報記憶部５１との比較を完了し（ステップＳ１０）、ＬＥＤ監視装置２に、ＬＥＤ画像による比較判定処理の再開を指示する（ステップＳ１１）。指示を受けて、ＬＥＤ監視装置２は、ＬＥＤ画像による比較判定処理を再開する（ステップＳ２０）。
【００４８】
一方、ラックＩＤ、アダプタＩＤ、位置情報及び装置特定ＩＤが全て等しいエントリがラック情報記憶部５１にない場合には、ラック監視装置５は、受信したラック情報をラック情報記憶部５１に書き込む（ステップＳ１２）。なお、後述するステップＳ４４でラック情報を受信したと判定されてステップＳ８に制御が移ってステップＳ１２に到達した場合には、ラック監視装置５は、取り除かれた監視対象装置３１のラック情報をラック情報記憶部５１から削除する。そして、ラック監視装置５は、ＬＥＤ監視装置２に、正常時画像の更新を指示する（ステップＳ１３）。
【００４９】
指示を受けたＬＥＤ監視装置２は、正常時画像の更新を開始し（ステップＳ１４）、ＬＥＤ画像の撮り直しを実施する（ステップＳ１５）。そして、ＬＥＤ監視装置２は、ＬＥＤ画像の撮り直しを完了し（ステップＳ１６）、正常時画像の更新を完了する（ステップＳ１７）。そして、ＬＥＤ監視装置２は、正常時画像更新の完了をラック監視装置５に通知する（ステップＳ１８）。
【００５０】
そして、ラック監視装置５は、正常時画像更新の完了通知を受信し（ステップＳ１９）、ラック情報記憶部５１との比較を完了し（ステップＳ１０）、ＬＥＤ監視装置２に、ＬＥＤ画像による比較判定処理の再開を指示する（ステップＳ１１）。指示を受けて、ＬＥＤ監視装置２は、ＬＥＤ画像による比較判定処理を再開する（ステップＳ２０）。
【００５１】
このように、新たな監視対象装置３１がラック３に取り付けられた場合に、ラック監視装置５がＬＥＤ監視装置２に正常時画像の更新を指示することで、ＬＥＤ監視装置２は正しい正常時画像を用いて監視を行うことができる。
【００５２】
次に、監視対象装置３１が取り外された場合の処理のフローについて説明する。図１３は、監視対象装置３１が取り外された場合の処理のフローを示すフローチャートである。図１３に示すように、ラック監視装置５は、定期的にラック情報の更新をセンサー付きアダプタ４０に指示する（ステップＳ３１）。すると、センサー付きアダプタ４０は、管理情報記憶部４４の情報を更新し、更新情報をラック監視装置５に返却する（ステップＳ３２）。更新情報を受信したラック監視装置５は、更新情報がラック情報記憶部５１に記憶されている情報と一致する場合には、何も行わない。なお、定期的にとは、例えば５秒毎である。
【００５３】
取り外しのために監視対象装置３１の電源が運用管理者又は保守作業者によりＯＦＦにされると、センサー付きアダプタ４０の電源がＯＦＦになる。すると、ラック監視装置５は、センサー付きアダプタ４０のシャットダウンを感知し（ステップＳ４１）、ＬＥＤ監視装置２に、ＬＥＤ画像による異常判別の停止を指示する（ステップＳ４２）。すると、ＬＥＤ監視装置２は、撮影したＬＥＤ画像を正常時画像と比較して異常を判定する比較判定処理を停止する（ステップＳ４３）。
【００５４】
そして、ラック監視装置５は、ラック情報を受信したか否かを判定し（ステップＳ４４）、ラック情報を受信すると、図１２Ａに示したステップＳ８に移動し、取り外された監視対象装置３１が元の場所に戻された場合であるか否かを判定する。一方、ラック情報を受信しない場合には、ラック監視装置５は、一定時間が経過したか否かを判定し（ステップＳ４５）、一定時間が経過していない場合には、ステップＳ４４に戻る。
【００５５】
一方、一定時間が経過した場合には、ラック監視装置５は、監視対象装置３１が取り除かれたと判定し、ＬＥＤ監視装置２に、正常時画像の更新を指示する（ステップＳ４６）。そして、ラック監視装置５は、取り除かれた監視対象装置３１のラック情報をラック情報記憶部５１から削除する（ステップＳ４７）。
【００５６】
また、正常時画像の更新指示を受けたＬＥＤ監視装置２は、正常時画像の更新を開始し（ステップＳ４８）、ＬＥＤ画像の撮り直しを実施する（ステップＳ４９）。そして、ＬＥＤ監視装置２は、ＬＥＤ画像の撮り直しを完了し（ステップＳ５０）、正常時画像の更新を完了する（ステップＳ５１）。そして、ＬＥＤ監視装置２は、正常時画像更新の完了をラック監視装置５に通知する（ステップＳ５２）。
【００５７】
そして、ラック監視装置５は、正常時画像更新の完了通知を受信し（ステップＳ５３）、ＬＥＤ監視装置２に、ＬＥＤ画像による比較判定処理の再開を指示する（ステップＳ５４）。指示を受けて、ＬＥＤ監視装置２は、ＬＥＤ画像による比較判定処理を再開する（ステップＳ５５）。
【００５８】
このように、監視対象装置３１がラック３から取り除かれた場合に、ラック監視装置５がＬＥＤ監視装置２に正常時画像の更新を指示することで、ＬＥＤ監視装置２は正しい正常時画像を用いて監視を行うことができる。
【００５９】
上述してきたように、実施例では、ラック監視装置５の比較判定部５２が、ラック３に搭載される監視対象装置３１に変更があったか否かの判定を行う。そして、変更があったと判定を行った場合に、比較判定部５２は、ＬＥＤ監視装置２に正常時画像の更新を指示するように通知部５３に指示する。そして、通知部５３が、比較判定部５２の指示に基づいて、ＬＥＤ監視装置２に正常時画像の更新を指示する。したがって、ＬＥＤ監視装置２は、正常時画像を自動的に更新することができる。
【００６０】
また、実施例では、比較判定部５２は、装置特定ＩＤ、ラックＩＤ及び位置情報に基づいて、ラック３に搭載される監視対象装置３１に変更があったか否かの判定を行うので、ラック３に搭載される監視対象装置３１の変更を正確に判定することができる。
【００６１】
また、実施例では、センサー付きアダプタ４０は、監視対象装置３１のＰＳＵ３１ｂと電源ケーブルコネクタ４６の間に取り付けられる。したがって、センサー付きアダプタ４０は、監視対象装置３１から装置特定ＩＤを取得するとともに、ラック３からラックＩＤ及び位置情報を取得することができる。
【００６２】
また、実施例では、センサー付きアダプタ４０は、監視対象装置３１に貼り付けられたバーコード４３ａから装置特定ＩＤを読み取るとともにラック３に貼り付けられたバーコード４２ａからラックＩＤ及び位置情報を読み取る。したがって、センサー付きアダプタ４０は、簡単に装置特定ＩＤ、ラックＩＤ及び位置情報を取得することができる。
【００６３】
また、実施例では、比較判定部５２は、ラック３から取り外された監視対象装置３１がラック３の同じ場所に戻されたか否かを判定し、同じ場所に戻されたと判定した場合には、ラック３に搭載される監視対象装置３１に変更がなかったと判定する。したがって、ラック監視装置５は、ＬＥＤ監視装置２が正常時画像の不要な更新を行うことを防ぐことができる。
【００６４】
なお、実施例では、ラック監視装置５について説明したが、ラック監視装置５が有する構成をソフトウェアによって実現することで、同様の機能を有するラック監視プログラムを得ることができる。そこで、ラック監視プログラムを実行するコンピュータについて説明する。
【００６５】
図１４は、実施例に係るラック監視プログラムを実行するコンピュータのハードウェア構成を示す図である。図１４に示すように、コンピュータ６０は、メインメモリ６１と、ＣＰＵ６２と、ＬＡＮインタフェース６３と、ＨＤＤ（Hard  Disk  Drive）６４とを有する。また、コンピュータ６０は、スーパーＩＯ（Input  Output）６５と、ＤＶＩ（Digital  Visual  Interface）６６と、ＯＤＤ（Optical  Disk  Drive）６７とを有する。
【００６６】
メインメモリ６１は、プログラムやプログラムの実行途中結果などを記憶するメモリである。ＣＰＵ６２は、メインメモリ６１からプログラムを読出して実行する中央処理装置である。ＣＰＵ６２は、メモリコントローラを有するチップセットを含む。
【００６７】
ＬＡＮインタフェース６３は、コンピュータ６０をＬＡＮ経由で他のコンピュータに接続するためのインタフェースである。ＨＤＤ６４は、プログラムやデータを格納するディスク装置であり、スーパーＩＯ６５は、マウスやキーボードなどの入力装置を接続するためのインタフェースである。ＤＶＩ６６は、液晶表示装置を接続するインタフェースであり、ＯＤＤ６７は、ＤＶＤの読み書きを行う装置である。
【００６８】
ＬＡＮインタフェース６３は、ＰＣＩエクスプレス（ＰＣＩｅ）によりＣＰＵ６２に接続され、ＨＤＤ６４及びＯＤＤ６７は、ＳＡＴＡ（Serial  Advanced  Technology  Attachment）によりＣＰＵ６２に接続される。スーパーＩＯ６５は、ＬＰＣ（Low  Pin  Count）によりＣＰＵ６２に接続される。
【００６９】
そして、コンピュータ６０において実行されるラック監視プログラムは、ＤＶＤに記憶され、ＯＤＤ６７によってＤＶＤから読出されてコンピュータ６０にインストールされる。あるいは、ラック監視プログラムは、ＬＡＮインタフェース６３を介して接続された他のコンピュータシステムのデータベースなどに記憶され、これらのデータベースから読出されてコンピュータ６０にインストールされる。そして、インストールされたラック監視プログラムは、ＨＤＤ６４に記憶され、メインメモリ６１に読出されてＣＰＵ６２によって実行される。
【００７０】
また、実施例では、新たな監視対象装置３１がラック３に取り付けられる毎にラック監視装置５がＬＥＤ監視装置２に正常時画像の更新を指示する場合について説明した。しかしながら、複数の監視対象装置３１がラック３に取り付けられる場合には、正常時画像の更新が頻繁に行われることになる。
【００７１】
そこで、ラック監視装置５は、所定の時間の間に受信したラック情報と感知したセンサー付きアダプタ４０のシャットダウンに対する処理をまとめて行ってもよい。監視対象装置３１が取り外されて元に戻された場合には、センサー付きアダプタ４０のシャットダウンの感知とラック情報の受信をキャンセルすることで、ラック監視装置５は、ＬＥＤ監視装置２に正常時画像の更新を指示しない。
【００７２】
このように、ラック監視装置５は、所定の時間の間に受信したラック情報と感知したセンサー付きアダプタ４０のシャットダウンに対する処理をまとめて行うことによって、正常時画像の更新の頻度を減らすことができる。
【００７３】
また、実施例では、ラック監視装置５とＬＥＤ監視装置２が異なる場合について説明したが、ＬＥＤ監視装置２はラック監視装置５の機能を備えてもよい。
【００７４】
また、実施例では、センサー付きアダプタ４０を用いてラック３の監視を行う場合について説明したが、ラック監視装置５は、ラック３に搭載される監視対象装置３１の変更を他の方法を用いて監視してもよい。
【００７５】
以上の実施例を含む実施形態に関し、さらに以下の付記を開示する。
【００７６】
（付記１）ラックを監視して該ラックに搭載される監視対象装置に変更があったか否かの判定を行う判定部と、
前記判定部により変更があったとの判定が行われた場合に、前記監視対象装置が正常であるときの光表示部の画像である基準画像に基づいて該監視対象装置を監視する光表示部監視装置に前記基準画像の変更を指示する指示部と
を有することを特徴とするラック監視装置。
【００７７】
（付記２）前記判定部は、前記監視対象装置を識別する装置識別子、並びに、該監視対象装置を搭載するラックを識別するラック識別子及びラック内の位置を示す位置情報に基づいて前記判定を行うことを特徴とする付記１に記載のラック監視装置。
【００７８】
（付記３）前記判定部は、前記監視対象装置の電源部と電源ケーブルコネクタの間に取り付けられたセンサー付きアダプタが取得した前記装置識別子、前記ラック識別子及び前記位置情報に基づいて前記判定を行うことを特徴とする付記２に記載のラック監視装置。
【００７９】
（付記４）前記判定部は、前記監視対象装置に貼り付けられたタグから前記装置識別子を読み取るとともに前記ラックに貼り付けられたタグから前記ラック識別子及び前記位置情報を読み取った前記センサー付きアダプタから送信された前記装置識別子及び前記位置情報に基づいて前記判定を行うことを特徴とする付記３に記載のラック監視装置。
【００８０】
（付記５）前記判定部は、ラックから取り外された監視対象装置がラックの同じ場所に戻されたか否かを判定し、同じ場所に戻されたと判定した場合には、前記変更がなかったとの判定を行うことを特徴とする付記１〜４のいずれか１つに記載のラック監視装置。
【００８１】
（付記６）ラックに搭載される監視対象装置と、
前記監視対象装置が正常であるときの光表示部の画像である基準画像に基づいて該監視対象装置を監視する光表示部監視装置と、
前記ラックを監視するラック監視装置を有し、
前記ラック監視装置は、
前記ラックに搭載される監視対象装置に変更があったか否かの判定を行う判定部と、
前記判定部により変更があったとの判定が行われた場合に、前記基準画像の変更を指示する指示部と
を有することを特徴とする光表示部監視システム。
【００８２】
（付記７）前記判定部は、前記監視対象装置を識別する装置識別子、並びに、該監視対象装置を搭載するラックを識別するラック識別子及びラック内の位置を示す位置情報に基づいて前記判定を行うことを特徴とする付記６に記載の光表示部監視システム。
【００８３】
（付記８）前記判定部は、前記監視対象装置の電源部と電源ケーブルコネクタの間に取り付けられたセンサー付きアダプタが取得した前記装置識別子、前記ラック識別子及び前記位置情報に基づいて前記判定を行うことを特徴とする付記７に記載の光表示部監視システム。
【００８４】
（付記９）前記判定部は、前記監視対象装置に貼り付けられたタグから前記装置識別子を読み取るとともに前記ラックに貼り付けられたタグから前記ラック識別子及び前記位置情報を読み取った前記センサー付きアダプタから送信された前記装置識別子及び前記位置情報に基づいて前記判定を行うことを特徴とする付記８に記載の光表示部監視システム。
【００８５】
（付記１０）前記判定部は、ラックから取り外された監視対象装置がラックの同じ場所に戻されたか否かを判定し、同じ場所に戻されたと判定した場合には、前記変更がなかったとの判定を行うことを特徴とする付記６〜９のいずれか１つに記載の光表示部監視システム。
【００８６】
（付記１１）コンピュータに、
ラックを監視して該ラックに搭載される監視対象装置に変更があったか否かの判定を行い、
変更があったとの判定を行った場合に、前記監視対象装置が正常であるときの光表示部の画像である基準画像に基づいて該監視対象装置を監視する光表示部監視装置に前記基準画像の変更を指示する
処理を実行させることを特徴とするラック監視プログラム。
【００８７】
（付記１２）前記判定を行う処理は、前記監視対象装置を識別する装置識別子、並びに、該監視対象装置を搭載するラックを識別するラック識別子及びラック内の位置を示す位置情報に基づいて前記判定を行うことを特徴とする付記１１に記載のラック監視プログラム。
【００８８】
（付記１３）前記判定を行う処理は、前記監視対象装置の電源部と電源ケーブルコネクタの間に取り付けられたセンサー付きアダプタが取得した前記装置識別子、前記ラック識別子及び前記位置情報に基づいて前記判定を行うことを特徴とする付記１２に記載のラック監視プログラム。
【００８９】
（付記１４）前記判定を行う処理は、前記監視対象装置に貼り付けられたタグから前記装置識別子を読み取るとともに前記ラックに貼り付けられたタグから前記ラック識別子及び前記位置情報を読み取った前記センサー付きアダプタから送信された前記装置識別子及び前記位置情報に基づいて前記判定を行うことを特徴とする付記１３に記載のラック監視プログラム。
【００９０】
（付記１５）前記判定を行う処理は、ラックから取り外された監視対象装置がラックの同じ場所に戻されたか否かを判定し、同じ場所に戻されたと判定した場合には、前記変更がなかったとの判定を行うことを特徴とする付記１１〜１４のいずれか１つに記載のラック監視プログラム。
【符号の説明】
【００９１】
１    ＬＥＤ監視システム
２    ＬＥＤ監視装置
３    ラック
５    ラック監視装置
１０    ＬＥＤ監視システム
３１    監視対象装置
３１ａ    電源ケーブル挿入口
３１ｂ    ＰＳＵ
３２    出力端設置板
３３    カメラ
３４    カメラユニット
３５    ＬＡＮケーブル
３６    光ファイバー
３７    スイッチングハブ
３８    撮像画像
３９    スイッチングハブ
４０    センサー付きアダプタ
４１    電源ケーブル
４２    センサー部
４２ａ    バーコード
４３    センサー部
４３ａ    バーコード
４４    管理情報記憶部
４５    制御部
４６    電源ケーブルコネクタ
５１    ラック情報記憶部
５２    比較判定部
５３    通知部
６０    コンピュータ
６１    メインメモリ
６２    ＣＰＵ
６３    ＬＡＮインタフェース
６４    ＨＤＤ
６５    スーパーＩＯ
６６    ＤＶＩ
６７    ＯＤＤ
【図１】
0006677094.tif 000002
【図２】
0006677094.tif 000003
【図３】
0006677094.tif 000004
【図４】
0006677094.tif 000005
【図５】
0006677094.tif 000006
【図６】
0006677094.tif 000007
【図７】
0006677094.tif 000008
【図８】
0006677094.tif 000009
【図９】
0006677094.tif 000010
【図１０】
0006677094.tif 000011
【図１１】
0006677094.tif 000012
【図１２Ａ】
0006677094.tif 000013
【図１２Ｂ】
0006677094.tif 000014
【図１３】
0006677094.tif 000015
【図１４】
0006677094.tif 000016